(57)【特許請求の範囲】
【請求項１】
現像処理された印画紙を送り出す排出部を装置本体上部に配置し、この排出部から送り出された印画紙を１オーダずつ仕分けて作業者の側に搬送する搬送手段を装置本体の上面に備えてある写真プリント装置であって、
前記搬送手段が、前記排出部から順次排出された印画紙を１オーダ毎に積み重ねて蓄積し、且つ、その積み重ねた印画紙を搬送するオーダコンベアと、このオーダコンベアからの印画紙を受止めて作業者の側に搬送する搬出コンベアとを備えると共に、前記オーダコンベアが、１オーダ分の印画紙を低いレベルで受止め、このように受止めた印画紙を高いレベルから搬出コンベアに送り出すよう構成されている写真プリント装置。
【請求項２】
前記オーダコンベアの搬送始端位置に前記排出部から送り出された印画紙を略水平に搬送する横送りコンベアを備えると共に、前記オーダコンベアが無端ベルトを備え、この無端ベルトに横送りコンベアからの印画紙を受止める水平姿勢と、受止めた印画紙を送り出す際に搬送上手側を基準にして搬送下手側を持ち上げる傾斜姿勢とに切換自在に構成されている請求項１記載の写真プリント装置。
【請求項３】
前記オーダコンベアが水平姿勢の支軸周りで揺動自在に支承されると共に、オーダコンベアを前記傾斜姿勢まで揺動作動させる揺動駆動機構と、このオーダコンベアが前記傾斜姿勢に達した際に前記無端ベルトを搬送方向に作動させる送出し駆動機構とを備え、前記揺動駆動機構は電動モータの正転駆動時にオーダコンベアを支軸周りで傾斜姿勢の側に揺動させる伝動系と、このオーダコンベアが傾斜姿勢に達すると揺動作動力を遮断するトルクリミッターとで構成され、前記送出し駆動機構はオーダコンベアが前記傾斜姿勢に達すると、前記電動モータの駆動力で回転するギヤに対して前記無端ベルトの駆動軸に備えたギヤとが噛合するよう配置した一対のギヤを備えて構成されている請求項２記載の写真プリント装置。
【請求項４】
前記オーダコンベアが前記傾斜姿勢にある状態で前記電動モータを逆転駆動することで前記オーダコンベアを前記支軸周りで水平姿勢の方向に揺動させるよう前記揺動駆動機構を構成してある請求項３記載の写真プリント装置。
【請求項５】
前記オーダコンベアが印画紙を送る無端ベルトを備えて成ると共に、このオーダコンベアが印画紙を受止める際には低レベルに設定され、印画紙を送り出す際には高レベルに設定できるよう、水平姿勢のまま昇降自在に構成されている請求項１記載の写真プリント装置。
【請求項６】
前記搬出コンベアが前記オーダコンベアからの１オーダ分の印画紙を受止める複数のトレーを備えてソータとして成ると共に、装置本体の上面のうち少なくとも搬出コンベアを備えた部位が、該搬出コンベアの搬送方向上手側に備えた水平姿勢の支軸周りで上方に揺動開放自在に構成されている請求項１記載の写真プリント装置。
【発明の詳細な説明】
【０００１】
【発明の属する技術分野】
本発明は、現像処理された印画紙を送り出す排出部を装置本体上部に配置し、この排出部から送り出された印画紙を１オーダずつ仕分けて作業者の側に搬送する搬送手段を装置本体の上面に備えてある写真プリント装置に関する。
【０００２】
【従来の技術】
上記のように構成された写真プリント装置として、特開平９‐１８８４５２号公報に示されるものが存在し、この従来の技術では排出口（排出部）から送り出されたカラープリント（印画紙）を可動台に対して積み重ね状態で載置し、このように載置されたカラープリントがフィルム１本分（１オーダ分）の枚数に達すると、可動台とストッパーとが一体的に横方向に移動してカラープリントを横方向に送り、次に、ストッパーが停止した状態で可動台が引退方向に移動することでカラープリントがベルトコンベア上に落下してカラープリントが、ベルトコンベア上に１オーダ分ずつ仕分けられるものとなっている。
【０００３】
【発明が解決しようとする課題】
ここで、従来の技術の写真プリント装置について考えるに、排出口からのカラープリントを積み重ね状態で受止め、横方向に送って更にベルトコンベア上に落下させるものでは、カラーペーパの積み重ね高さを考慮して排出口におけるカラーペーパの排出位置と可動台の載置位置との間に充分なレベル差を設定する必要があり、これと同様に、可動台とベルトコンベアとの間にも充分なレベル差を設定する必要がある。しかし。排出口、可動台、ベルトコンベア夫々に充分なレベル差を設定すると、ベルトコンベアの搬送レベルを低く設定しても排出口のレベルを高く設定しなくてはならず、結果として写真プリント装置の上下方向の寸法を大きくするものとなり改善の余地があった。
【０００４】
そこで、従来の技術に示した装置のベルトコンベアに代えて装置側方に張り出す位置に縦方向に作動するソータを備えることが考えられる。この構成によると横送り機構からの１オーダ分の印画紙をソータのトレー（受け皿）に対して送る作動形態となるので、ベルトコンベアを必要とせず、しかも、横送り機構とのレベル差を考慮せずに済むので、装置の上下方向での寸法を小さくできる反面、ソータの部分が横方向に張り出すので装置上面に搬送手段を備えたものと比較して、広い設置面積を必要とする。
【０００５】
本発明の目的は、装置の設置面積を拡大することなく、装置の上下方向の寸法を小さくし得る写真プリント装置を合理的に構成する点にある。
【０００６】
【課題を解決するための手段】
本発明の第１の特徴（請求項１）は、現像処理された印画紙を送り出す排出部を装置本体上部に配置し、この排出部から送り出された印画紙を１オーダずつ仕分けて作業者の側に搬送する搬送手段を装置本体の上面に備えてある写真プリント装置において、前記搬送手段が、前記排出部から順次排出された印画紙を１オーダ毎に積み重ねて蓄積し、且つ、その積み重ねた印画紙を搬送するオーダコンベアと、このオーダコンベアからの印画紙を受止めて作業者の側に搬送する搬出コンベアとを備えると共に、前記オーダコンベアが、１オーダ分の印画紙を低いレベルで受止め、このように受止めた印画紙を高いレベルから搬出コンベアに送り出すよう構成されている点にあり、その作用、及び、効果は次の通りである。
【０００７】
本発明の第２の特徴（請求項２）は請求項１において、前記オーダコンベアの搬送始端位置に前記排出部から送り出された印画紙を略水平に搬送する横送りコンベアを備えると共に、前記オーダコンベアが無端ベルトを備え、この無端ベルトに横送りコンベアからの印画紙を受止める水平姿勢と、受止めた印画紙を送り出す際に搬送上手側を基準にして搬送下手側を持ち上げる傾斜姿勢とに切換自在に構成されている点にあり、その作用、及び、効果は次の通りである。
【０００８】
本発明の第３の特徴（請求項３）は請求項２において、前記オーダコンベアが水平姿勢の支軸周りで揺動自在に支承されると共に、オーダコンベアを前記傾斜姿勢まで揺動作動させる揺動駆動機構と、このオーダコンベアが前記傾斜姿勢に達した際に前記無端ベルトを搬送方向に作動させる送出し駆動機構とを備え、前記揺動駆動機構は電動モータの正転駆動時にオーダコンベアを支軸周りで傾斜姿勢の側に揺動させる伝動系と、このオーダコンベアが傾斜姿勢に達すると揺動作動力を遮断するトルクリミッターとで構成され、前記送出し駆動機構はオーダコンベアが前記傾斜姿勢に達すると、前記電動モータの駆動力で回転するギヤに対して前記無端ベルトの駆動軸に備えたギヤとが噛合するよう配置した一対のギヤを備えて構成されている点にあり、その作用、及び、効果は次の通りである。
【０００９】
本発明の第４の特徴（請求項４）は請求項３において、前記オーダコンベアが前記傾斜姿勢にある状態で前記電動モータを逆転駆動することで前記オーダコンベアを前記支軸周りで水平姿勢の方向に揺動させるよう前記揺動駆動機構を構成してある点にあり、その作用、及び、効果は次の通りである。
【００１０】
本発明の第５の特徴（請求項５）は請求項１において、前記オーダコンベアが印画紙を送る無端ベルトを備えて成ると共に、このオーダコンベアが印画紙を受止める際には低レベルに設定され、印画紙を送り出す際には高レベルに設定できるよう、水平姿勢のまま昇降自在に構成されている点にあり、その作用、及び、効果は次の通りである。
【００１１】
本発明の第６の特徴（請求項６）は請求項１において、前記搬出コンベアが前記オーダコンベアからの１オーダ分の印画紙を受止める複数のトレーを備えてソータとして成ると共に、装置本体の上面のうち少なくとも搬出コンベアを備えた部位が、該搬出コンベアの搬送方向上手側に備えた水平姿勢の支軸周りで上方に揺動開放自在に構成されている点にあり、その作用、及び、効果は次の通りである。
【００１２】
〔作用〕
上記第１の特徴によると、現像処理され排出部から送り出された後の印画紙は、オーダコンベアが低いレベルで受止めるものとなる。そして、このオーダコンベアが１オーダ分の印画紙を受止めた後には、該オーダコンベアは受止めたレベルより高いレベルから搬出コンベアに対して１オーダ分の印画紙を送り出すものとなり、搬出コンベアは１オーダずつ仕分けた状態の印画紙を作業者の側に搬送するものとなる。又、オーダコンベアが印画紙を受止めるレベルと送り出すレベルとに差を設定してあるので、オーダコンベアと搬出コンベアとの間に大きいレベル差を設定しなくて済み、結果として、排出口と搬出コンベアとの間のレベル差を小さくすることも可能となる。尚、この第１の特徴では、排出部からの印画紙を横送りコンベア等で水平方向に連続的に送ることでオーダコンベアに対して印画紙を１オーダ分に達するまで積み重ねる形態、あるいは、排出口からの印画紙をオーダコンベア上に１オーダに達するまで積み重ね、この印画紙を搬出コンベアに搬送する形態の何れであっても良い。
【００１３】
上記第２の特徴によると、オーダコンベアは１オーダ分の印画紙を水平姿勢で受止めた後、搬送下手側を持ち上げる傾斜姿勢に設定されることで、１オーダ分の印画紙を高いレベルから搬出コンベアに送り出し得るものとなり、この構成によると、オーダコンベアの姿勢の切換と云う単純で製作容易な構成で済むものとなる。又、この構成ではオーダコンベアが傾斜姿勢に設定された際に、このオーダコンベアが横送りコンベアから印画紙を送り出す経路を遮る形態となる場合でも、オーダコンベアを水平姿勢に設定することで大判の印画紙でも遮ることなく印画紙を受け入れ得るものとなる。
【００１４】
上記第３の特徴によると、オーダコンベアが水平姿勢にある状態で電動モータを正転駆動することによって、揺動駆動機構がオーダコンベアを傾斜姿勢に切換えると共に、傾斜姿勢に達した後にはトルクリミッターによって電動モータの駆動を許しながらオーダコンベアを傾斜姿勢に維持するものとなり、又、この傾斜姿勢に達すると送出し機構の一対のギヤが噛合することでオーダコンベアの無端ベルトを送出し方向に駆動して１オーダ分の印画紙を送出すものとなる。
【００１５】
上記第４の特徴によると、オーダコンベアが傾斜姿勢にある状態で電動モータを逆転駆動した場合には、揺動駆動機構がオーダコンベアを水平姿勢に戻すものとなる。
【００１６】
上記第５の特徴によると、オーダコンベアは１オーダ分の印画紙を低レベルで受止めた後、水平姿勢のまま高レベルに設定されることで、印画紙が積み重ね状態にあっても積み重ね姿勢を崩すことなく高いレベルから搬出コンベアに送り出し得るものとなる。
【００１７】
上記第６の特徴によると、オーダコンベアからの１オーダ分の印画紙を搬出コンベアのトレーが受止めて作業者の側に送るものとなり、又、本発明の構成により上方への突出量を小さくできるので、例えば、装置のメンテナンス等の目的で搬出コンベアを備えた装置本体の上面を搬送上手側の支軸周りで上方に揺動する場合に、この搬出コンベアが家屋の壁面に接近する場合でも、壁面と装置との距離を大きく設定しなくとも壁面と搬出コンベアとの接触を回避できるものとなる。
【００１８】
〔発明の効果〕
従って、印画紙搬送系の構造により現像処理された印画紙を送り出す排出口の高レベル化を阻止して、設置面積を拡大することなく装置の上下方向の寸法を小さくし得る写真プリント装置が合理的に構成されたのである。又、オーダコンベアを揺動式に姿勢切換自在に構成することで印画紙を無理なく円滑に印画紙を送るものとなり、単一の電動モータでオーダコンベアの姿勢切換と搬送とを行って部品点数を低減できるものとなり、電動モータの回転方向の切換と云う簡便な制御形態の変更だけでオーダコンベアの姿勢を切換得るものとなり、オーダコンベアのレベルの変更だけで印画紙の受止めと送出しとを円滑容易に行えるものとなり、揺動側に大きい空間を確保しなくとも搬出コンベアの部位を大きく開放できるものとなった。
【００１９】
【発明の実施の形態】
以下、本発明の実施の形態を図面に基づいて説明する。
図１及び図２に示すように、露光処理部Ａと、現像処理部Ｂと、現像処理部Ｂの上部に配置した搬送手段としての仕分け搬送部Ｃとを備えて写真プリント装置が構成されている。前記露光処理部Ａにはハロゲンランプ等の発光体を収めた光源１、写真フィルム（図示せず）がセットされるフィルムキャリア２、プレスキャンした写真フィルムの画像情報等が表示されるモニター３、各種情報を入力する操作卓４夫々を上部に備えると共に、内部には図示しないがロール状印画紙を収めた印画紙マガジン、この印画紙マガジンからの印画紙をプリントサイズに切断して露光位置にセットする搬送系を備えており、露光処理を行う場合には光源１からの光線をフィルムキャリア２にセットされた写真フィルムに供給し、この写真フィルムを透過した光線を露光位置にセットされた印画紙に投影露光した後に、複数列（３列）に振り分けて現像処理部Ｂに並列状態で供給するものとなっている。又、現像処理部Ｂには図示しないが、複数の現像処理槽とこれらの現像処理槽に露光済みの印画紙を供給する搬送系と、現像処理を終えた印画紙Ｐを乾燥する乾燥器を備えて構成され、乾燥器で乾燥された印画紙Ｐは開口形成された排出部５から複数列（３列）で排出される。
【００２０】
そして、前記仕分け搬送部Ｃは、排出部５から排出された印画紙Ｐを受止めて水平方向に搬送する横送りコンベアＣａと、この横送りコンベアＣａからの印画紙Ｐを受止めて搬送する中間コンベアＣｂ（オーダコンベアの一例）と、この中間コンベアＣｂからの１オーダ分の印画紙Ｐが送られる搬出コンベアＣｃとを備えて成っている。横送りコンベアＣａはゴムベルト等の可撓性の無端ベルト１０を一対のローラ（図示せず）に巻回して成り、排出部５から印画紙Ｐが供給されたタイミングで作動を開始し、中間コンベアＣｂに印画紙Ｐを送り終えると停止する制御が行われる。尚、中間コンベアＣｂの搬送始端位置で反横送りコンベアＣａの側に縦壁状のストッパー１１を備えて横送りコンベアＣａから中間コンベアＣｂに送られる印画紙Ｐの飛び出しを阻止するものとなっており、又、横送りコンベアＣａの反中間コンベアの側には大判の印画紙が載置されるトレー１２が配置されている。
【００２１】
中間コンベアＣｂは横送りコンベアＣａの搬送方向と直交する方向に搬送方向が設定され、その構成は、図３に示すように水平姿勢の支軸１３（搬送上手側のローラの軸と兼用されている）周りで揺動自在に支持された揺動フレーム１４に一対のローラ１５，１５を支承すると共に、このローラ１５，１５に対してゴムベルト等の可撓性の無端ベルト１６を巻回してあり、横送りコンベアＣａからの印画紙Ｐを低いレベルで受止める水平姿勢と、受止めた印画紙Ｐを搬出コンベアＣｃに送り出す際に搬送下手側を高いレベルに設定する傾斜姿勢とに切換自在に構成されている。尚、水平姿勢に設定した場合には、この中間コンベアＣｂの無端ベルト１６の上面レベルと、横送りコンベアＣａの印画紙搬送レベルとの間のレベル差が、１オーダ分の印画紙Ｐを積み重ねた際の厚みより充分に大きくなるよう相対的な配置レベルが設定されている。
【００２２】
この中間コンベアＣｂの姿勢の切換と、無端ベルト１６を駆動するために単一の電動モータ１７を備えている。又、揺動フレーム１４に対して一端がピン連結する揺動リンク１８を軸１９周りで揺動自在に支持してあり、この揺動リンク１８の他方の端部をディスク２０にピン連結し、このディスク２０にトルクリミッター２１を介して連係するカムギヤ２２と前記電動モータ１７の出力軸に備えた出力ギヤ２３に噛合する第１アイドルギヤ２４とが連動連係している。又、搬送下手端のローラ軸１５Ａ（駆動軸の一例）に駆動ギヤ２５を固設し、この駆動ギヤ２５に噛合する受動ギヤ２６を揺動フレーム１４に備え、揺動フレーム１４が印画紙Ｐを送り出す傾斜姿勢に達すると、電動モータ１７の出力ギヤ２３に噛合する第２アイドルギヤ２７に対して受動ギヤ２６が噛合するよう位置関係が設定されている。そして、この中間コンベアＣｂを揺動駆動する系で揺動駆動機構ＳＤが構成され、傾斜姿勢で中間コンベアＣｂの無端ベルト１６を駆動する系で送出し駆動機構ＣＤが構成されている。
【００２３】
図４に示すように、前記搬出コンベアＣｃは中間コンベアＣｂの搬送方向と直交する方向に搬送方向が設定され、その構成は両端の輪体３１、３１に対して無端チェーンや無端ベルト等の無端回動帯３２を巻回すると共に、この無端回動帯３２に対して輪体３１の回転軸芯と平行姿勢の軸芯周りで揺動自在に多数のトレー３３を支持し、又、一方の輪体３１を回転駆動する電動型の搬出モータ３４を備え、中間コンベアＣｂから印画紙Ｐが送られる位置ではトレー３３が略水平姿勢に設定され、このトレー３３が搬送下手側に送られるとトレー３３が傾斜姿勢となるようトレー３３の姿勢を設定する系が構成されている。尚、中間コンベアＣｂからの印画紙Ｐを受止める位置においてトレー３３が水平姿勢にある状態で、このトレー３３のレベルを横送りコンベアＣａの印画紙搬送レベルより僅かに低い位置となるようにレベルが設定されている。
【００２４】
次に、この仕分け搬送部Ｃでの印画紙Ｐの搬送形態、及び、夫々のコンベアＣａ、Ｃｂ、Ｃｃの制御形態を説明する。排出部５から複数枚（３枚）の印画紙５が横送りコンベアＣａに対して同時に落下供給されると、横送りコンベアＣａの無端ベルト１０が駆動され夫々の印画紙Ｐを図５（イ）に示す如く、水平姿勢の中間コンベアＣｂの搬送始端位置に送って落下供給する。この際、横送りコンベアＣａからの印画紙Ｐは前記ストッパー１１で飛び出しが阻止されながら、供給される順序で積み重ねられられるものとなり、このように積み重ねられた印画紙Ｐが１オーダ分に達すると前記電動モータ１７を正転駆動して中間コンベアＣｂを図５（ロ）に示す如く、傾斜姿勢に切換え、このように中間コンベアＣｂが傾斜姿勢に達すると第２アイドルギヤ２７に対して受動ギヤ２６が噛合することで、この中間コンベアＣｂの無端ベルト１６の駆動を開始するものとなる。そして、印画紙Ｐの搬送を開始した場合には、トルクリミッター２１がディスク２０に対する伝動を遮断することで揺動フレーム１４を傾斜姿勢を維持すると同時に印画紙Ｐの搬送を許すものとなる。この中間コンベアＣｂの搬送終端位置から搬出コンベアＣｃのトレー３３に１オーダ分の印画紙Ｐが供給された後には、電動モータ１７が逆転駆動されることで、中間コンベアＣｂが水平姿勢に戻され、搬出コンベアＣｃはトレー１つ分（トレー３３の配設間隔に等しい）だけ送られるものとなる。そして、搬出コンベアＣｃで１オーダずつに仕分けた状態で自動的に印画紙Ｐが送られると、作業者が無理な姿勢をとることなく容易にネガフィルムと共にＤＰ袋に詰める作業を行えるものとなる。
【００２５】
この写真プリント装置では、図４に示すように現像処理部Ｂのメンテナンスを容易にするため現像処理部Ｂの天板３７が開閉支軸３８周りで揺動自在に構成され、この天板３７を開放操作した場合には天板３７に支持される横送りコンベアＣａ、中間コンベアＣｂ、搬出コンベアＣｃが天板３７と一体的に開放して同図に仮想線で示す姿勢となり、この装置と壁面Ｗとの距離Ｄをあまり大きくしないで済むものとなっている。
【００２６】
このように、本発明の写真プリント装置では、オーダコンベアとしての中間コンベアＣｂが横送りコンベアＣａからの印画紙Ｐを横送りコンベアＣａより低いレベルで受止め、この印画紙Ｐが１オーダ分に達すると中間コンベアＣｂを傾斜姿勢に設定して搬出コンベアＣｃに送り出すので、例えば、中間コンベアＣｂを水平姿勢に固定したもののように、この中間コンベアＣｂの搬送レベルより低いレベルに搬出コンベアＣｃの受止めレベルを設定する必要がなく、横送りコンベアＣａと中間コンベアＣｂと搬出コンベアＣｃとを殆ど変わらないレベルに配置することを可能として、その結果、仕分け搬送部Ｃが現像処理部Ｂの天板３７から上方への突出量を少なくして装置の上下方向での寸法を大きくしないものにしている。又、搬出コンベアＣｃをソータとして用いるので夫々のオーダの印画紙Ｐを良好に仕分けた状態で作業者の側に搬送できるものとなっており、更に、この写真プリント装置ではソータを装置側面に備えるものと比較して設置面積を小さくするものとなっており、現像処理部のメンテナンス時に現像処理部Ｂの天板を開放した場合には、天板上のコンベア類が揺動方向に突出するものの、その突出量が抑制されているので、図４に示す如く該写真プリント装置が設置される部屋の壁面Ｗとの距離Ｄを小さくできるものとなっている。
【００２７】
特に、印画紙Ｐを低いレベルで受止め、高いレベルから送り出すよう中間コンベアＣｂを傾斜姿勢に維持した構造のものを想定して比較すると、中間コンベアＣｂを傾斜姿勢に維持するものでは、横送りコンベアＣａからの印画紙Ｐを中間コンベアが遮る形態となるのでパノラマ写真のように大判の印画紙Ｐの受け渡しがうまくゆかないものとなるが、本発明の中間コンベアＣｂでは横送りコンベアＣａの搬送幅一杯で搬送される大判の印画紙Ｐでも無理なく中間コンベアＣｂで受止めて高いレベルから送り出せるものとなっている。
【００２８】
〔別実施の形態〕
本発明は上記実施の形態以外に、図６（イ）、（ロ）に示すようにオーダコンベアとしての中間コンベアＣｂを水平姿勢のまま上下に位置変更自在に構成すると共に、この中間コンベアＣｂを昇降作動させるアクチュエータ４０と屈伸リンク４１を備えて実施することも可能である（前記実施の形態と共通の機能を有するものには同一の番号符号を附した）。このように構成することで、中間コンベア上に積み重ねられた印画紙Ｐを崩すことなく高レベルに設定して搬送することが可能となる。
【００２９】
又、本発明は、上記実施の形態における中間コンベアＣｂと同様の構造のオーダコンベアの搬送始端位置を排出部５から印画紙Ｐが送り出される位置に設定し、このオーダコンベアの搬送終端からの印画紙を受け止める位置に搬出コンベアＣｃの搬送始端位置を設定すると共に、オーダコンベアを、排出部からの印画紙Ｐを低い位置で受止め、このように受け止めた印画紙Ｐが１オーダに達すると高いレベルから搬出コンベアＣｃに送り出すよう上記実施の形態における中間コンベアを備えない形態で実施することも可能である。
【００３０】
更に、本発明は上記実施の形態以外に、例えば、写真フィルムのコマ画像を光電変換してデジタル化し、このデジタル信号に基づいて露光ヘッドを駆動する形態のデジタル露光式の写真プリント装置に適用することが可能であり、又、排出部から１列で印画紙が排出されるものでは横送りコンベア上に１オーダ分の印画紙を積み重ね状態となるよう受止め、この印画紙を中間コンベアに供給するよう制御形態を設定することも可能である。
【図面の簡単な説明】
【図１】写真プリント装置の斜視図
【図２】写真プリント装置の平面図
【図３】中間コンベアの側面図
【図４】搬出コンベアを示す断面図
【図５】水平姿勢、傾斜姿勢の中間コンベアを示す側面図
【図６】別実施の形態の中間コンベアの２状態を示す側面図
【符号の説明】
５              排出部
１３            支軸
１６            無端ベルト
１７            電動モータ
２１            トルクリミッター
２６，２７      ギヤ
３３            トレー
３８            支軸
Ｃ              搬送手段
Ｃａ            横送りコンベア
Ｃｂ            オーダコンベア
Ｃｃ            搬出コンベア
Ｐ              印画紙
ＳＤ            揺動駆動機構
ＣＤ            送出し駆動機構
【図１】
0003738879.tif 000002
【図２】
0003738879.tif 000003
【図３】
0003738879.tif 000004
【図４】
0003738879.tif 000005
【図５】
0003738879.tif 000006
【図６】
0003738879.tif 000007